(57)【要約】【課題】  プリント回路板間をワイヤレス化し、ケーブルを可能な限り削減することで、シェルフ型通信装置のシステムの汎用性向上及び電気評価を容易にする。【解決手段】  複数のプリント回路板を収容可能なシェルフ（１１）を備えた通信装置において、プリント回路板の各々はワイヤレス通信部（１７１、１８１）によりシェルフ内を無線で送受信するようにし、シェルフは複数のプリント回路板を収容するスロットのそれぞれの位置を示すスロット識別情報を供給する手段（１７３、１８２）を備えたバックボード（１５）を備えて、挿入完了したプリント回路板は挿入されたスロットの位置を識別可能にし、シェルフは、ワイヤレス通信部から出力される電波をシェルフ内の電波放射領域（１６２）内部に遮蔽遮蔽する電波シールド板（１６５）を有し、それによりプリント回路板の各々の内部の回路部品、及びシェルフの外部に放射ノイズを与えないようにした。【選択図】      図１
2006048592.tif 000002
【特許請求の範囲】
【請求項１】
複数のプリント回路板を収容可能なシェルフを備えた通信装置において、前記プリント回路板の各々はワイヤレス通信部を備えており、前記シェルフ内の前記プリント回路板の間で信号を無線にて送受信するようにしたことを特徴とするシェルフ型通信装置。
【請求項２】
前記複数のプリント回路板は、複数の主信号系プリント回路板と１つのワイヤレス制御プリント回路板とを含んでおり、前記シェルフの外側の装置と前記複数の主信号系プリント回路板の各々との間の通信を、前記ワイヤレス制御プリント回路板を経由して行うようにしたことを特徴とする請求項１に記載のシェルフ型通信装置。
【請求項３】
前記複数のプリント回路板はそれぞれ、複数のワイヤレス通信部を搭載しており、それにより前記複数のプリント回路板の間での信号の送受信を平行して行うことを可能にしたことを特徴とする請求項１又は２に記載のシェルフ型通信装置。
【請求項４】
前記シェルフは前記複数のプリント回路板を収容する複数のスロットと、該複数のスロットのそれぞれの位置を示すスロット識別情報を供給する手段を備えたバックボードとを備えており、前記複数のプリント回路板の少なくとも１つを前記複数のスロットのいずれか一つに挿入完了したときに該挿入完了したプリント回路板に、該スロットに対応するスロット識別情報が供給され、それにより前記挿入完了したプリント回路板は挿入されたスロットの位置を識別可能にしたことを特徴とする請求項１から３のいずれか一項に記載のシェルフ型通信装置。
【請求項５】
前記シェルフは、前記ワイヤレス通信部から出力される電波を前記シェルフ内の電波放射領域内部に遮蔽する電波シールド板を有し、それにより前記プリント回路板の各々の内部の回路部品、及び前記シェルフの外部に放射ノイズを与えないようにしたことを特徴とする請求項１から４のいずれか一項に記載のシェルフ型通信装置。
【発明の詳細な説明】
【技術分野】
【０００１】
本発明は、通信局舎等の伝送装置架へ搭載するシェルフ型通信装置に関する。
【背景技術】
【０００２】
従来の通信装置は、設置する搭載架の形状の違いによりシェルフ型通信装置の構造に統一性がなかったが、近年グローバル開発の観点から、共通構造を持った製品を開発し、これによれば、全顧客に共通な仕様の部分は共通構造とし、顧客毎に異なる仕様に対してその部分だけを別途製造することにより、構造に統一性を持たせてコストダウン効果を図ることができた。
【０００３】
図９は従来のシェルフ型通信装置の構造を示す斜視図である。同図において、従来のシェルフ型通信装置は、シェルフ９１に多数のスロット９２が設けられており、そのスロットの各々にプラグインユニット(以下、ＰＩＵと称する）９３が挿入されて構成されている。ＰＩＵ９３としては、伝送容量、波長、機能等により多種類のものが存在する。各ＰＩＵ９３はシェルフ型通信装置の用途によって、適切に選択されてシェルフ９１の適合するスロット９２に挿入されてシェルフ型通信装置を構成する。
【０００４】
ＰＩＵ９３には、メインプリント板９４だけではなくてサブプリント板９５を備えているものもある。ＰＩＵ９３のスロット９２への挿入方向の先端部にはバックボード嵌合コネクタ９６が設けられている。また、シェルフ９１には裏面側にバックボード９７が実装されている。ＰＩＵ９３をシェルフ９１のスロット９２に挿入して、各ＰＩＵ９３に実装されたバックボード嵌合コネクタ９６をバックボード９７にプラグインすることにより、他のＰＩＵ９３とのワイヤ接続が可能となる。
【０００５】
図１０は図９に示したＰＩＵ９３の一例の分解斜視図である。従来から、ＰＩＵは、プリント板１枚に回路部品を出きるだけ搭載し、基板は１枚構成としているが、機能が多い場合は、図示のように複数のプリント板（メインプリント板９４とサブプリント板９５等）で構成され、金具（図９における金具９８）等で相互に固定しフラットケーブル１０１等で信号接続を行っている。
【０００６】
【特許文献１】特開２０００−１３４６４６
【特許文献２】特開２０００−２７７９６０
【特許文献３】特開２００３−３３２７７７
【発明の開示】
【発明が解決しようとする課題】
【０００７】
図９に示すように、複数のＰＩＵ９３をバックボード９７にプラグインして、他ＰＩＵ９３と接続を行う場合、機能が異なるＰＩＵ間では、コネクタの数量や信号種類が異なり、シェルフ９１の一つのスロット９２に、そのスロットに対応するＰＩＵとは異なるＰＩＵを挿入するとＰＩＵにダメージを与える恐れがある。その為、各スロットの型を対応するＰＩＵの型と同じ固有の型にすること等による誤挿入防止構造を設けており、各ＰＩＵは特定のスロットにのみ挿入可能なように固定となっていた。換言すれば各ＰＩＵを任意のスロットに挿入することが出来なかった。このため、シェルフに挿入されるＰＩＵ種類の構成について汎用性が乏しいという課題があった。
【０００８】
また、図１０に示すように、複数のプリント板９４及び９５をフラットケーブル１０１で接続して金具９８でプリント板９４及び９５を相互に結合する場合は、金具９３等で相互に結合したＰＩＵ９３の完成体で評価するので、メインプリント回路板９４とサブプリント回路板９５の間に隠れた部品をテスタ等でモニタができないという課題があった。これを解決するために従来は、専用治具等を製作し、メインプリント板９４とサブプリント板９５を構造的に分割する必要があり、ＰＩＵの評価作業が煩雑且つ高価になるという課題があった。
【０００９】
同様にシェルフ型通信装置の完成体の評価においても、複数のＰＩＵ間をバックボード９７で接続するので、各プリント回路板の内部の部品をテスタ等でモニタができないという課題があった。各プリント回路板の内部の部品をモニタするためには専用治具等を製作する必要があり、シェルフ型装置の評価が煩雑且つ高価になるという課題があった。また、治具を用いる必要があるので、製品レベルでの電気特性評価が困難であるという課題もあった。
【００１０】
本発明は、上記課題を解決する為に、ＰＩＵ等のプリント回路板間をワイヤレス化し、ケーブルを可能な限り削減することで、シェルフ型通信装置のシステムの任意のスロットに任意のプリント板を挿入可能にして汎用性を向上させること、及びプリント回路板の電気評価を容易化することを目的とする。
【課題を解決するための手段】
【００１１】
上記の目的を達成するために、本発明の第１の態様により提供されるものは、プリント回路板の各々はワイヤレス通信部を備えており、シェルフ内のプリント回路板の間で信号を無線にて送受信するようにしたことを特徴とするシェルフ型通信装置である。
【００１２】
本発明の第２の態様により、複数のプリント回路板は、複数の主信号系プリント回路板と１つのワイヤレス制御プリント回路板とを含んでおり、シェルフの外側の装置と複数の主信号系プリント回路板の各々との間の通信を、ワイヤレス制御プリント回路板を経由して行うようにした。
【００１３】
本発明の第３の態様により、複数のプリント回路板はそれぞれ、複数のワイヤレス通信部を搭載しており、それにより複数のプリント回路板の間での信号の送受信を平行して行うことを可能にした。
【００１４】
本発明の第４の態様により、シェルフは複数のプリント回路板を収容する複数のスロットと、複数のスロットのそれぞれの位置を示すスロット識別情報を供給する手段を備えたバックボードとを備えており、複数のプリント回路板の少なくとも１つを複数のスロットのいずれか一つに挿入完了したときに挿入完了したプリント回路板に、スロットに対応するスロット識別情報が供給され、それにより挿入完了したプリント回路板は挿入されたスロットの位置を識別可能にした。
【００１５】
本発明の第５の態様により、シェルフは、ワイヤレス通信部から出力される電波をシェルフ内の電波放射領域内部に遮蔽する電波シールド板を有し、それによりプリント回路板の各々の内部の回路部品、及びシェルフの外部に放射ノイズを与えないようにした。
【発明の効果】
【００１６】
本発明の第１の態様によれば、シェルフ内の信号の送受信をワイヤレス化させることにより、ケーブルを最小限にすることで、構造的制約を低減させ、システムの汎用性、増設性の向上が可能となるという効果が得られる。
【００１７】
本発明の第２の態様によれば、ワイヤレス制御プリント回路板を経由してシェルフの外側の装置と複数の主信号系プリント回路板の各々との間の通信が可能になるという効果が得られる。
【００１８】
本発明の第３の態様によれば、複数のプリント回路板の間での信号の送受信を平行して行うことが可能になるという効果が得られる。
【００１９】
本発明の第４の態様によれば、プリント回路板のフリースロット化が可能となるという効果が得られる。例えば、複数顧客にシステム構築を提供する場合、顧客によって要求仕様が異なり、必要なプリント回路板の種類や数量も違ってくる。従来は各顧客の搭載架やシステム構築に対応した装置構成とする為、専用構造や専用バックボード等を開発する必要があった。本発明ではバックボード或いはケーブルを極力削減可能とすることで、フリースロット化により装置構造を統一でき、コストも大幅削減が期待される。
【００２０】
本発明の第５の態様によれば、プリント回路板の各々の内部の回路部品、及びシェルフの外部に放射ノイズを与えないという効果が得られる。
【発明を実施するための最良の形態】
【００２１】
以下、本発明の実施例を図面により詳述する。全図を通して同一参照符号は同一物を表わす。
図１は本発明の実施例によるシェルフ型通信装置の分解斜視図である。
図２の（Ａ）は本発明の実施例によるシェルフ型通信装置の正面透視図、（Ｂ）は上平面透視図、（Ｃ）は右側面透視図である。
図３の（Ａ）は本発明の実施例によるシェルフ型通信装置の裏カバー１６の正面透視図、（Ｂ）は上平面透視図、（Ｃ）は右側面透視図である。
図１から図３において、シェルフ１１は、その下側にファン部１２、中央部にプラグインユニットが挿入されるＰＩＵ部１３、上側にラジエータ部１４を備えている。ＰＩＵ部１３の下部にはＰＩＵ挿入用のスロット１３１が設けられている。スロット１３１の幅は、挿入される多種類のＰＩＵの中の最小幅のＰＩＵの幅以上の一定の等しい幅である。また、シェルフ１１の裏面側にはファン部１２とＰＩＵへの電源給電用のバックボード１５とそのバックボード１５を覆う裏カバー１６が設けられている。
【００２２】
ＰＩＵには、ワイヤレス制御プリント回路板（以下、ＷＣＮＴ−プリント回路板と称する）と主信号系プリント回路板（以下、ＩＦ−プリント回路板と称する）がある。図示例では、シェルフ１１の図示右端には１枚のＷＣＮＴ−プリント回路板１７が搭載されており、図示左側には複数のＩＦ−プリント回路板１８が搭載されている。本発明によりＩＦ−プリント回路板１８同士はワイヤレス通信を行うので、各ＩＦ−プリント回路板１８は任意のスロット１３に挿入して搭載することが可能である。
【００２３】
ＷＣＮＴ−プリント回路板１７には、従来はバックボード嵌合コネクタ（図９のバックボード嵌合コネクタ９６）を実装していた部分に１個又は複数のワイヤレス通信部（部品）１７１と外線導入コネクタ１７２及び受電コネクタ１７３が実装されている。各ワイヤレス通信部１７１は本体１７４とアンテナ部１７５で構成され、スロット１３にＷＣＮＴ-プリント回路板１７を挿入完了したときにアンテナ部１７５は、裏カバー１６の基板２１（図２参照）よりシェルフ１１の裏面側の方向にはみ出すように実装されている。
【００２４】
ＩＦ−プリント回路板１８の各々も、従来はバックボード嵌合コネクタ（図９のバックボード嵌合コネクタ９６）を実装していた部分に１個又は複数のワイヤレス通信部（部品）１８１と受電コネクタ１８２が実装されている。各ワイヤレス通信部１８１も本体１８３とアンテナ部１８４で構成され、スロット１３にＩＦ-プリント回路板１８を挿入完了したときにアンテナ部１８４は、裏カバー１６の基板（図示せず）よりシェルフ１１の裏面側の方向にはみ出すように実装されている。
【００２５】
各プリント回路板はシェルフ１１の前面側から任意のスロット１３に沿って搭載され、受電コネクタ１７３がバックボード１５の給電コネクタ１５１にプラグインされる。
【００２６】
裏カバー１６の上部には、ワイヤレス通信部１７１及び１８１のアンテナ部１７５及び１８４が挿入されるためのアンテナ挿入口（切り欠き）１６１があり、裏カバー１６をシェルフ１１に取り付けた時にアンテナ部１７５及び１８４がアンテナ挿入口１６１に嵌合する位置関係となっている。またアンテナ部１７５及び１８４が裏カバー１６を突き抜けないように、ワイヤレス通信部１７１及び１８１は各ワイヤレス通信部の基板２１（図２の（Ｃ）参照）上で位置が調整されている。
【００２７】
アンテナ部１７５及び１８４が挿入された空間は電波放射領域部１６２で、アンテナ部１７５及び１８４からの送信電波をシェルフ１１の外部に漏らさないようアンテナ挿入口１６１には導電性ブッシュ２２（図２参照）が取り付けられている。ワイヤレス通信部１７１又は１８１は金属ケースで覆われており、導電性ブッシュ２２と接触することでシールドされる。また、アンテナ挿入口１６１の個数はプリント回路板に実装されるワイヤレス通信部の個数による。
【００２８】
裏カバー１６の下部には、外線導入コネクタ用切り欠き１６３と、電源端子台用切り欠き１６４があり、それぞれＷＣＮＴ−プリント回路板１７の外線導入コネクタ１７２とバックボード１５に搭載の電源端子台１５２のためのもので、シェルフ１１の裏面から外線導入コネクタ１７２及び電源端子台１５２へのアクセスを可能としている。
【００２９】
また、裏カバー１６の側面にはガスケット１６５を取り付け、裏カバー１６をシェルフ１１本体にネジ穴３１（図３参照）を通してネジ止めし、シェルフ１１内のノイズが外部へ漏れるのを遮断している。
【００３０】
さらに、各ＰＩＵの表板１７７及び１８５にはそれぞれ、側面にガスケット１７８及び１８６が取り付けられており、それによりＰＩＵをシェルフ１１に挿入すると隣接するＰＩＵの表板と接触し、シェルフ１１外部へノイズが漏れるのを遮断している。また、各ＰＩＵの表板１７７及び１８５にはそれぞれ、アラーム表示用のＬＥＤ１７９及び１８７が設けられている。
【００３１】
シェルフ１１の下側にはファン部１２が有り、ここにファンユニット１９をシェルフ１１の前面側から挿入して搭載する。ＰＩＵ１７，１８をスロット１３に挿入完了すると、受電コネクタ１７３、１８２がバックボード１５の給電コネクタ１５１にプラグインされる。
【００３２】
ＰＩＵ内部の放熱は、ファンユニット１９にてシェルフ１１の下部から吸気を行い、シェルフ１１の上側のラジエータ部１３にて裏面に放熱される構造で、これによりシェルフ１１の上に別のシェルフを置くという多段構成が可能になる。
【００３３】
なお、ＷＣＮＴ-プリント回路板１７にはシェルフ１１の外部の端末（例えばパーソナルコンピュータ）２０がケーブル２３を介して接続されており、端末２０のファームウェアによりＷＣＮＴ-プリント回路板１７から各ＩＦ-プリント回路板１８への書き込み処理や各ＩＦ-プリント回路板１８間のデータ送受信処理、及びエラー検出処理を行う。これらの処理は各ＩＦ-プリント回路板１８内でのプログラミング処理等で自動的に行うようにしてもよい。
【００３４】
図４は図１〜３に示したシェルフ型通信装置の機能ブロック図である。同図に示すように、本発明の実施例によれば、ＷＣＮＴ-プリント回路板１７とＩＦ-プリント回路板１８との間及びＩＦ-プリント回路板１８同士の間はワイヤレスで通信される。ＷＣＮＴ-プリント回路板１７はケーブル２３を介して端末２０と接続されたり他のシェルフ型通信装置に接続されたりする。
【００３５】
図５は図１〜３に示したシェルフ型通信装置を前面から見たときの概略外観図である。同図に示すように、シェルフ１１内の右端にはＷＣＮＴ-プリント回路板１７が挿入されており、その他のスロットにはＩＦ-プリント回路板１８が挿入されている。各ＩＦ-プリント回路板１８は空いている任意のスロットに挿入してもよい。ＷＣＮＴ-プリント回路板１７はケーブル２３を介して端末２０に接続されている。
【００３６】
図６はＷＣＮＴ-プリント回路板１７の右側面図である。同図に示すように、シェルフ１１に挿入されたＷＣＮＴ-プリント回路板１７の前面側にはケーブル２３を介して端末２０が接続されており、背面側にはインターフェースケーブル６０を介して他のシェルフに接続されている。尚、外線導入コネクタ１７２はシールドタイプのコネクタ使用により、シールドされる。
【００３７】
図７は図１〜３に示したシェルフ型通信装置におけるバックボード１５の一部拡大図及びＷＣＮＴ-プリント回路板１７の受電コネクタ１７３のピンの構成例及び、１Ｆ-プリント回路板１８の受電コネクタ１８２のピンの構成例を示す図である。同図に示すように、バックボード１５には複数の給電コネクタ１５１1〜１５１16が配列されており、ＷＣＮＴ-プリント回路板１７又はＩＦ-プリント回路板１８がシェルフ１１に挿入されると、ＷＣＮＴ-プリント回路板１７の受電コネクタ１７３又はＩＦ-プリント回路板１８の受電コネクタ１８２がそれぞれ、給電コネクタ１５１1〜１５１16のいずれかに接続される。
【００３８】
図示例では、給電コネクタ１５１1〜１５１16はそれぞれ８ピン構成となっていて、図示右側の縦４個のピンは電源専用ピンであり、図示左側の縦４個のピンは電源／識別ピンとなっている。この電源／識別ピンに給電するパターンにより１６個のスロットが識別できる。即ち、電源／識別ピン＃１＃２＃３＃４に与える電圧が００００であればスロット１５１1であり、１１１１であればスロット１５１16である、という具合にＷＣＮＴ-プリント回路板１７及びＩＦ-プリント回路板１８は挿入されたスロット位置を認識できる。ここで、０は例えば０Ｖ、１は例えば−４８Ｖである。
【００３９】
図８は本発明の実施例によるシェルフ型通信装置における通信方法を説明するフローチャートである。同図において、ステップＳ８０にて先ずＷＣＮＴ −プリント回路板（ＷＣＮＴ−ＰＴ）１７とＩＦ −プリント回路板（ＩＦ−ＰＴ）１８をシェルフ１１に挿入する。
次にステップＳ８１にて、各ＩＦ −プリント回路板１７は挿入されたスロットＮｏ．を認識する。認識方法は図７により説明したように、バックボード１５の給電コネクタ１５１1〜１５１16に電源専用ピンと電源／識別ピンを設け、電源専用ピンは全ピンをＰＩＵ電力供給用とする。電源／識別ピンは、給電ピンと無給電ピンの組み合わせパターンを持ち、スロット固有のパターンをＰＩＵ内部の識別回路にて認識することにより、各ＩＦ −プリント回路板１７は自スロット番号を認識可能である。電源／識別ピン数が４ピンあれば、１６スロット分を識別可能である。各ＰＩＵは、自スロットを認識後、スロットＮｏ．と各ＰＩＵの種別を示すＩＤ−Ｎｏ．をＷＣＮＴ-プリント回路板１７に送信する。
【００４０】
ＷＣＮＴ −プリント回路板１７に接続された端末２０では、シェルフ１１に挿入されたＷＣＮＴ-プリント回路板１７のＩＤ−Ｎｏ．とスロットＮｏ．を表示し、ステップＳ８２にて必要に応じてファーム書き込み命令を発行する。
次いでステップＳ８３にて、上記ファーム書き込み命令を受けて、ＷＣＮＴ-プリント回路板１７から、指示されたＩＦ-プリント回路板１８に向けて、アンテナ１７５からワイヤレスデータを送信する。送信データにはヘッダにスロット情報を付与し、各１Ｆ-プリント回路板１８は、ヘッダデータより自スロット向けのデータのみを受信する。
【００４１】
次いでステップＳ８４では受信側の１Ｆ-プリント回路板１８は受信が正常に終了したかを判定し、正常終了しなければステップＳ８３及びステップＳ８４を例えば１〜３回繰り返し、４回目も正常終了しない場合は何らかの故障が考えられるのでステップＳ８５に進んでＷＣＮＴ-プリント回路板１７から端末２０にアラームを発報する。アラームの内容としては、ＷＣＮＴ-プリント回路板１７やＩＦ-プリント回路板１８が正常に差し込まれていない、とか受電コネクタ１７３あるいは給電コネクタ１５１が損傷している、等がある。
【００４２】
ステップＳ８４の判定で、受信が正常終了になると、ステップＳ８６にて、受信完了通知をＩＦ-プリント回路板１８からＷＣＮＴ-プリント回路板１７にワイヤレスで送信し、ＷＣＮＴ −プリント回路板１７が完了通知を受信後、通信が正常完了する。
【００４３】
ＷＣＮＴ-プリント回路板１７から各ＩＦ-プリント回路板１８にファーム送信完了すると、ステップＳ８７にて各ＩＦ −プリント回路板１７は送受信する相手先の確認ができたかを判定する。相手先の確認の判断を例えば３回繰り返しても相手先が確認できない場合は、何らかの故障が考えられるのでステップＳ８８に進んでＷＣＮＴ-プリント回路板１７から端末２０にアラームを発報する。アラームの内容としては、ＩＦ-プリント回路板１８が正常に差し込まれていない、とか受電コネクタ１７３あるいは給電コネクタ１５１が損傷している、等がある。
【００４４】
ステップＳ８７で送受信の相手先の確認がとれると、ステップＳ８９に進み、送信側ＩＦ-プリント回路板１８（例えばＩＦ１）から受信側ＩＦ-プリント回路板１８（例えばＩＦ２）へワイヤレスデータを送信する。送信データにはヘッダに受信側のＩＤ−Ｎｏ．を付与し、各ＩＦ-プリント回路板１８は、ヘッダデータより自スロット向けのデータのみを受信する。
【００４５】
次いでステップＳ９０にて受信側のＩＦ-プリント回路板１８での受信が正常に終了したかを判断する。この判断を例えば３回繰り返しても正常受信が終了しない場合は、何らかの故障が考えられるのでステップＳ８８に進む。
【００４６】
ステップＳ９０の判断で受信が正常終了と判断されると、ステップＳ９１に進み、受信側ＩＦ-プリント回路板１８はデータ受信完了後、完了通知を送信側プリント回路板１８に送信し、送信側プリント回路板 が完了通知を受信後、通信が正常完了する。
もし、送信側プリント回路板１８において一定時間後に完了通知を受信できない場合は、再度受信側プリント回路板 にデータを送信する。再送信を例えば３回繰り返しても完了通知を受信できない場合は、何らかの故障が考えられるので、ステップＳ８８にてＷＣＮＴ−プリント回路板１８へアラームを発報し、ＷＣＮＴ −プリント回路板１８から端末２０へアラームを発報、或いはアラーム表示をＬＥＤ１７９又は１８７（図１及び図２参照）等で行う。
【００４７】
尚、ＷＣＮＴ −プリント回路板１７から各ＩＦ −プリント回路板１８への書き込み処理や各ＩＦ −プリント回路板１８間のデータ送受信処理、及びエラー検出処理等については、端末からのファームによる指示や各プリント回路板 内でのプログラミング処理等で自動化される。
【産業上の利用可能性】
【００４８】
本発明により、シェルフに搭載された各ＰＩＵ 間の信号疎通及び制御を、ワイヤレス通信で行うことにより、従来の信号用バックボードやフラットケーブルを無くすことができる。そのことにより、ＰＩＵのフリースロット化が実現可能となり、異なるシステムにおいても装置構造を統一でき、システム構築の汎用性、増設性が増す。またコストの大幅削減も可能となる。或いは、専用治具が不要となる為、テスタによりすべての部品を触ることが可能になり容易に電気評価を可能とする。
また、装置組立性、解体性向上による環境性の向上が図られる。
さらに、基板上に実装した温度センサ等の情報を収容し、無線にて測定器にワイヤレス通信させるようなシステム構築を行い、装置温度管理も容易となる。
その他、ＰＩＵ 管理情報（版数，製造番号等)をワイヤレス通信可能とすることで、工場内や顧客先において製品管理が容易に行える。
【図面の簡単な説明】
【００４９】
【図１】本発明の実施例によるシェルフ型通信装置の分解斜視図である。
【図２】Ａ）は本発明の実施例によるシェルフ型通信装置の正面透視図、（Ｂ）は上平面透視図、（Ｃ）は右側面透視図である。
【図３】（Ａ）は本発明の実施例によるシェルフ型通信装置の裏板の正面透視図、（Ｂ）は上平面透視図、（Ｃ）は右側面透視図である。
【図４】図１〜３に示したシェルフ型通信装置の機能ブロック図である。
【図５】図１〜３に示したシェルフ型通信装置を前面から見たときの概略外観図である。
【図６】ＷＣＮＴ-プリント回路板１７の右側面図である。
【図７】図１〜３に示したシェルフ型通信装置におけるバックボード１５の一部拡大図及びＷＣＮＴ-プリント回路板１７の受電コネクタ１７３のピンの構成例及び、１Ｆ-プリント回路板１８の受電コネクタ１８２のピンの構成例を示す図である。
【図８】本発明の実施例によるシェルフ型通信装置における通信方法を説明するフローチャートである。
【図９】従来のシェルフ型通信装置の構造を示す斜視図である。
【図１０】図９に示したＰＩＵ９３の分解斜視図である。
【符号の説明】
【００５０】
１１    シェルフ
１３    スロット
１５    バックボード
１６    裏カバー
１７    ＷＣＮＴ-プリント回路板
１８    ＩＦ-プリント回路板
１６２    電波放射領域部
１７１    ワイヤレス通信部
１７４    アンテナ部
１８１    ワイヤレス通信部
１８５    アンテナ部
１７８    ガスケット
１８６    ガスケット
【図１】
2006048592.tif 000003
【図２】
2006048592.tif 000004
【図３】
2006048592.tif 000005
【図４】
2006048592.tif 000006
【図５】
2006048592.tif 000007
【図６】
2006048592.tif 000008
【図７】
2006048592.tif 000009
【図８】
2006048592.tif 000010
【図９】
2006048592.tif 000011
【図１０】
2006048592.tif 000012